(57)【特許請求の範囲】
【請求項１】
マイナスイオンを発生させるマイナスイオン発生源を、座部、背もたれ部、及びアームレストを備える椅子に組込み、
アームレストに、上記マイナスイオンを電気的に吸引可能なイオン吸引用電極を設けたことを特徴とするマイナスイオン発生装置。
【請求項２】
背もたれ部の上部に、使用者の頭部側に向けてマイナスイオンを放出するイオン放出口を設けたことを特徴とする請求項１に記載のマイナスイオン発生装置。
【請求項３】
施療子を備えるマッサージユニットを具備し、マッサージ機能を有することを特徴とする請求項１又は２のいずれか１項に記載のマイナスイオン発生装置。
【請求項４】
マイナスイオン発生源を、放電によるものとした請求項１〜３のいずれか１項に記載のマイナスイオン発生装置。
【請求項５】
マイナスイオン発生源を、水の微細粉砕によるものとした請求項１〜４のいずれか１項に記載のマイナスイオン発生装置。
【発明の詳細な説明】
【０００１】
【発明の属する技術分野】
本発明は、マイナスイオン発生装置に関するものである。
【０００２】
【従来の技術】
従来、図９に示すように、マイナス極である針状電極１００の周りに対向電極である周囲電極２００を配設し、両電極１００，２００を昇圧回路３００と接続した構成からなる放電式のマイナスイオン発生器Ｘが知られている。
【０００３】
かかるマイナスイオン発生器Ｘでは、前記針状電極１００と周囲電極２００との間に高電圧を印加するとプラズマ放電が起こり、マイナスイオンが発生するとされている。
【０００４】
図中、４００はラッパ状に形成した電極カバー、５００はイオンガイド筒、６００は送風路、７００は防護メッシュである。
【０００５】
【発明が解決しようとする課題】
上記従来の放電式マイナスイオン発生器Ｘは、放電によって空気中の酸素にマイナスの電気を帯びさせ、これに微小な水分を結合させてマイナスイオンとし、これを放出するようにしたものであるが、発生したマイナスイオンは、広範囲に拡散し、空中のプラスイオンと結合するため人体に直接寄与されるマイナスイオンの量は限られている。
【０００６】
また、マイナスイオンには、精神安定効果、体質改善効果、新陳代謝効果、さらにその他健康促進において多様な効果が認められるといわれているが、マイナスイオンそのものが目に見えるわけではなく、またマイナスイオンを吸引して精神的なリラックス感は得られることはあっても、身体的な健康促進効果を即座に体感できるわけではない。
【０００７】
したがって、かかるマイナスイオン発生器を単体で使用することはおもしろみがなく、特別に購買意欲をそそるものでもなかった。
【０００８】
そこで、使用者が心身共にリラックスできる状態を同時に提供することができるとともに、十分な量のマイナスイオンを摂取することのできるマイナスイオン発生装置が望まれているが、現状ではそのようなマイナスイオン発生装置は存在していない。
【０００９】
本発明は、上記課題を解決することのできるマイナスイオン発生装置を提供することを目的としている。
【００１０】
【課題を解決するための手段】
（１）請求項１記載の本発明では、マイナスイオンを発生させるマイナスイオン発生源を、座部、背もたれ部、及びアームレストを備える椅子に組込み、前記アームレストに、上記マイナスイオンを電気的に吸引可能なイオン吸引用電極を設けたことを特徴とするマイナスイオン発生装置とした。
【００１５】
（２）請求項２記載の本発明では、上記背もたれ部の上部に、使用者の頭部側に向けてマイナスイオンを放出するイオン放出口を設けた。
【００１６】
（３）請求項３記載の本発明では、施療子を備えるマッサージユニットを具備し、マッサージ機能を有することとした。
【００１７】
（４）請求項４記載の本発明では、マイナスイオン発生源を、放電によるものとした。
【００１８】
（５）請求項５記載の本発明では、マイナスイオン発生源を、水の微細粉砕によるものとした。
【００２０】
【発明の実施の形態】
本発明は、マイナスイオンを発生させるマイナスイオン発生源を、座部及び背もたれ部を備える椅子に組込んだことを特徴とするマイナスイオン発生装置に係るものである。
【００２１】
椅子にゆったりと腰掛けてリラックスした時間帯に十分な量のマイナスイオンを摂取できるようになるので、マイナスイオンがもつといわれる疲労回復、精神安定、体質改善、血液浄化、新陳代謝、抵抗力増進、自律神経調整、胃腸消化促進などの各種効果をより一層高めることができる。
【００２２】
また、上記椅子の一部にイオン吸引用電極を配設することができる。
【００２３】
すなわち、上記マイナスイオン発生源は放電によりマイナスイオンを発生させるものとすることができ、これは、マイナス極である針状電極の周りに対向電極である周囲電極を配設し、両電極を昇圧回路と接続して、両電極間に高電圧を印加するとコロナ放電が起こりマイナスイオンが放出されるわけであるが、このままでは多くのマイナスイオンが空中に拡散してしまい、直接人体に与えるマイナスイオンの量が限られるおそれがあるので、マイナスイオンの発生源と、マイナスイオンを吸引可能なイオン吸引用電極を椅子の一部に配設して、発生したマイナスイオンの流れを椅子の近傍で発生させ人体の口からマイナスイオンを摂取させやすくしたものである。
【００２４】
また、上記イオン吸引用電極が身体と接触した場合、マイナスイオンが直接体に吸引されやすくなり、直接体にマイナスイオンが吸引されると、肌に水分が浸透しやすくなり保湿効果が向上することも知られている。
【００２５】
かかる構成により、上述したマイナスイオンの有する効果を十分に享受することができる。
【００２６】
イオン吸引用電極を配設する個所としては、椅子にアームレストを設け、同アームレストに設けることができる。
【００２７】
たとえば、椅子の背もたれ部の上部に前方に向けて、マイナスイオンの発生源を備えると、前方に放出されたマイナスイオンはアームレスト方向へ移動しやすくなり、座っている使用者に大量のマイナスイオンを与えることが出来る。
【００２８】
特にアームレストの先端にイオン吸引用電極を設けると、より移動範囲を大きくすることが出来る。
【００２９】
また、一旦人体がマイナスに帯電すると、その後は人体に直接マイナスイオンが吸引されにくくなるが、椅子の使用者はアームレストに自然な状態で手をおくことができるため、人体がイオン吸引用電極に接触すれば、人体に溜まっているマイナスイオンがイオン吸引用電極を経て一時的に放出されることになるため、この放出により、再度人体に直接マイナスイオンが吸引可能となる。
【００３０】
マイナスイオンは、直接肌から人体に吸引されることも効果的であるが、マイナスイオンが十分ある雰囲気中に人体が存在し、呼吸することで摂取することも重要であるため、肌での吸引を促すためにイオン吸引用電極を人体に直接接触させる構成が必ずしも必須ではなく、上記のように吸引用電極がアームレストの先端の人体が接触し難い場所であっても、マイナスイオンの流れは人体近傍となるので問題はない。
【００３１】
好ましいと思われる実施例は、人体との接触が断続的に行なわれるアームレストの一部に吸引用電極を設けることであり、この様な構成とすれば、人体に帯電しているマイナスイオンが断続的に放出され、度々フレッシュなマイナスイオンを直接人体に肌に吸引出来やすくなる。
【００３２】
また、椅子の座部にイオン吸引用電極を設けることもできる。この場合もイオン発生部が背もたれ部などの吸引用電極から離れた位置とすれば、マイナスイオンの流れが使用者の近傍に確保出来る。
【００３３】
なお、使用者は衣服を身につけているのが普通であるが、わずかでも導通がとれれば人体をグラウンドとして利用でき、この様な状態であれば断続的な人体からのマイナスイオンの放出が行なわれ、自然な状態でマイナスイオンを直接肌に引き付けることもできる。
【００３４】
さらに、足元や足載部、あるいは背もたれ部にイオン吸引用電極を配設することも可能である。いずれにしてもマイナスイオン発生源とは一定の距離を置いておくことが望ましい。
【００３５】
また、マイナスイオンは口などから吸引することがよいことが知られており、また上記のように吸引用電極との距離をある程度設けたほうがよいので、イオン吸引用電極がアームレストや足元、座部等にある場合は、マイナスイオンを放出する放出口は、背もたれ部の上部に、設けることが好ましい。
【００３６】
逆にマイナスイオンを放出する放出口がアームレスト部や座部、足元付近に設けた場合は、イオン吸引用電極は背もたれ部の上部等が望ましい。この場合、マイナスイオンが下から使用者の鼻付近を通過して上昇するので特に効果的である。
【００３７】
また、この場合は発生源が下方に位置するので、マイナスイオン発生源を放電式以外の、水を微細粉砕させることでマイナスイオンを発生させる、所謂レナード式でも適用しやすい。
【００３８】
このようなマイナスイオン発生器は、マイナスイオンの摂取効率を著しく高めることができる。特に、前述した人体を吸引用電極に接触させる構成は口からの吸引効果だけでなく、人体に直接当てることでさらに効果を高めることが可能となる。
【００３９】
よりリラックスした状態を得るために、また美容効果増進を図るために、マイナスイオン発生装置を、施療子を備えるマッサージユニットを具備する構成とし、マッサージ機能を有する椅子に適用することができる。
【００４０】
使用者はマッサージにより身体のこりなどをほぐしながら気持ちよくリラックスしたなかで、マイナスイオンを効果的に摂取することになり、マイナスイオンによる爽快感とマッサージによる気持ちよさとがあいまって、疲労回復が促進されるとともに、かかるマッサージ機能を有するマイナスイオン発生装置を継続的に使用しやすくなり、マイナスイオンによる各種効果により健康増進と美容効果が図れる。
【００４１】
ところで、マイナスイオン発生装置としてマッサージ機能を付加するのであれば、必ずしも椅子型としなければならないわけではない。
【００４２】
例えば、マイナスイオン発生源を収納配設するとともに、周面にイオン放出口を形成した筒状ケースの先端部にマッサージ用の施療子を配設し、さらに基端部にグリップ部を形成するとともに、同グリップ部にイオン吸引用電極を設けた構成としてもよい。
【００４３】
かかるマイナスイオン発生装置はハンディタイプとなり、いつでも簡便に利用することができ、この場合であってもマッサージ効果とマイナスイオン効果との相乗作用を得ることができる。
【００４４】
【実施例】
（第１実施例）
以下、本発明の第１実施例を図面を参照しながら説明する。なお、本実施例では本発明に係るマイナスイオン発生装置を、マッサージ機能を有する椅子に適用したものとして説明する。
【００４５】
図１は本発明に係るマイナスイオン発生装置としてのマッサージ椅子Ａの斜視図、図２は同マッサージ椅子Ａの側面視による説明図、図３は同マッサージ椅子Ａのブロック図である。
【００４６】
図１に示すように、マッサージ椅子Ａは、座部２の前・後端部に足保持部１と背もたれ部３をそれぞれ連設した構成としており、座部２の下部には同座部２を支持する基台部４を設けている。
【００４７】
同基台部４の左右上部には、座部２挟んで一対のアーチ型アームレスト２１を設けている。４１は基台部４の下部に設けた脚座であり、４２は同脚座４１の後端に設けたキャスタである。
【００４８】
また、前記基台部４の上面一側でアームレスト２１の下方位置には、本マッサージ椅子Ａの後述するマッサージ機能を操作・制御可能な操作部としての操作パネルＰを設けている。なお、同操作パネルＰは着脱自在としてリモートコントローラとして使用することも可能である。
【００４９】
また、図２に示すように、前記基台部４内において、前記座部２の裏面から下方向けて支持アーム２２を突設し、同支持アーム２２の先端部に設けた座部用枢支部２２ａを中心に前後方向へ動かすことができるようにしている。すなわち、水平面に対する傾斜角度が変化するように前記座部２を可動とするものであり、同座部２は前高後低方向あるいは前低後高方向にその姿勢を変動することができる。
【００５０】
かかる座部２に連設された前記足保持部１及び背もたれ部３については、それぞれ水平面（椅子設置面Ｇ）に対する角度が可変となるように動かすことが可能となっている。すなわち、背もたれ部３は所謂リクライニング自在に構成されている。
【００５１】
かかる動きを実現するために、本実施例では、前記基台部４内に足保持部１、座部２、背もたれ部３の保持姿勢を変更可能な姿勢変位機構５を配設し、前記した操作パネルＰの操作によって同姿勢変位機構５を図３に示す制御部Ｓを介して駆動して、足保持部１、座部２、背もたれ部３を所望する姿勢に動かせるようにしている。
【００５２】
姿勢変位機構５は、図２に示すように、座部２と脚座４１との間を座部用アクチュエータ５２により連結するとともに、前記支持アーム２２の中央近傍には、先端を足保持部１に連結した足保持部用アクチュエータ５１と、先端を背もたれ部３に連結した背もたれ部用アクチュエータ５３の各基端部を枢着している。１０は足保持部用アクチュエータ５１の先端部と足保持部１との連結部、２４は座部用アクチュエータ５２と座部２との枢支連結部、３１は背もたれ部３と座部２との枢支連結部、３２は背もたれ部用アクチュエータ５３の先端部と背もたれ部３との連結部、５４は両アクチュエータ５１，５３の共通枢支部である。
【００５３】
各アクチュエータ５１，５２，５３は空気圧や油圧によるシリンダ機構、あるいはモータとラックアンドピ二オンなどからなる機構など適宜採用することができる。あるいは、姿勢変位機構５全体をリンク機構などによる機械式としてもよい。
【００５４】
また、本実施例では、図３に示すように、背もたれ部３に主なるマッサージ動作を実行するマッサージユニット６を各種マッサージ用モータのうちの昇降用モータｍ１により上下昇降自在に設けるとともに（図２参照）、複数のエアセルＡ１・・Ａｎを足保持部１、座部２、背もたれ部３に配設し、ポンプ用モータｍ２を駆動して図示しないエアポンプを介してエアを給排することにより各エアセルＡ１・・Ａｎを膨縮させてエアマッサージを行えるようにしている。図２において、６１はマッサージユニット６の昇降を案内するガイドレールである。
【００５５】
前記マッサージユニット６内には、使用者Ｍに直接当接して多彩なマッサージ動作を行う揉み玉駆動ユニット７を収納配設しており、同揉み玉駆動ユニット７は、左右一対の施療子である揉み玉７１，７１を図３に示す各種マッサージ用モータｍのうちの叩き用モータにより前後方向に揺動させることによって行う叩き機能と、前記揉み玉７１，７１をこれも前記マッサージ用モータｍ１のうちの揉み用モータによって偏心回動させることによって行う揉み機能とを実行可能としている。しかも、同揉み玉駆動ユニット７は、同じく前記各種マッサージ用モータｍ１のうちの進退用モータにより、背もたれ部３の表側（使用者と接する側）に向けて進退移動可能に構成され、強力な指圧動作、複雑な３Ｄ揉み動作を実行可能としている。
【００５６】
なお、かかるマッサージユニット６の昇降量、揉み玉駆動ユニット７の進退量及び揉み玉７１，７１の回動量は、図３に示すように操作部である操作パネルＰを介して制御部Ｓにより制御可能としている。
【００５７】
上記構成のマッサージ椅子Ａにおいて、本発明の要旨となるのは、マイナスイオンを発生させるマイナスイオン発生源を組込んだことにある。
【００５８】
本実施例では、マイナスイオン発生源として放電式マイナスイオン発生器８を用いており、同放電式マイナスイオン発生器８は、図３に示すようにマイナス極である針状電極８１と、対向電極である周囲電極８２とを備え、両電極８１，８２を昇圧用トランス８３と接続するとともに、同トランス８３をパルス電流発生回路８４及びスイッチ８５を介して家庭用電源Ｖに接続した構成としている。８６は送風ファンである。
【００５９】
上記周囲電極８２は針状電極８１の周りに環状に配設しており、同周囲電極８２と針状電極８１との間に高電圧を印加するとプラズマ放電が起こり、マイナスイオンが発生し、これを送風ファン８６により使用者Ｍに向けて放出可能としている。この場合のマイナスイオンは小イオンと呼ばれるもので、電子に引き寄せられ結合した気体分子の数としては数個〜数十個程度であり、空気中での拡散力が極めて大きく、しかも、１００万個／ｃｃの規模で大量に生成される。
【００６０】
上記構成のマイナスイオン発生器８を、本実施例では、図２に示すように背もたれ部３の上部側内部に収納配設するとともに、マイナスイオンが使用者Ｍの頭部に向けて効果的に放出されるように、図１及び図２に示すように、イオン放出口８７が使用者Ｍの耳元に位置するように、背もたれ部３の正面側の上側左右に設け、大量のマイナスイオンを放出することであたかもマイナスインカーテン（図１及び図２の矢印ｆ参照）を生起するかのように構成している。したがって、使用者Ｍは放出されたマイナスイオンを直接口から吸引可能な状態となる。
【００６１】
使用者Ｍの身体にプラスイオンが増加すると、活性酸素が増加しやすくなり自律神経失調長症などを引き起こす場合があるとされているが、本実施例に係るマッサージ椅子Ａを使用することにより、上記したように配置したイオン放出口８７から放出されたマイナスイオンを効果的に摂取することができるので、身体イのプラスイオンを中和することができ健康維持が可能となる。
【００６２】
さらに、本実施例において特徴となるのは、マッサージ椅子Ａにおいて一部にイオン吸引用電極９を配設したことがある。
【００６３】
すなわち、図１に示すように、アームレスト２１の表面全体に薄板状に形成したイオン吸引用電極９を貼設している。
【００６４】
図３に示すようにイオン吸引用電極９は、周囲電極８２と同電位であるためイオン吸引作用があり、マイナスイオン発生器８から放出されたマイナスイオンが吸引しやすい箇所となる。好ましくは図３のようにイオン吸引用電極９は、接地されていることが望ましい。
【００６５】
したがって、マイナスイオンが矢印ｆのようにイオン吸引用電極９へ向かい流れ、拡散を低減させる。よって、使用者に近い位置でマイナスイオンがより多く存在することになり、口からの摂取がより効果的に行なわれる。
【００６６】
かかるイオン吸引用電極９は、タッチパネルタイプであり、使用者Ｍがこのイオン吸引用電極９に触れると、人体が吸引用電極と同電位となり、したがって、マイナスイオン発生器８が使用者Ｍと導通することになって、放出されたマイナスイオンが使用者Ｍに直接吸着されやすくなり、直接肌に吸引され、肌の保湿効果も向上する。
【００６７】
また、図１においては仮想線にて示すように、マイナスイオンを使用者Ｍの頭部に集中可能とするための開閉自在としたフード８８を設けることができる。
【００６８】
図１で示したフード８８を用いる場合は、イオン放出口８７からのイオン放出方向を略水平状態とすれば、図示するようにマイナスイオンがフード８８内に充満させやすく、使用者Ｍがマイナスイオンを口からや直接肌から吸引しやすい。特にイオン吸引用電極を接触可能にすれば、肌からの吸引がより効果的である。
【００６９】
また、フード８８を設ける場合、図４に示すように、イオン放出口８７からのイオン放出方向を上方に向けることもできる。
【００７０】
この場合、図示するように（矢印ｆ１参照）、フード８８内で一旦上昇したマイナスイオンは滝のように下降していき、使用者Ｍの頭部を中心として全身に吸着しやすく、マイナスイオンのシャワーを浴びるかのような効果を奏する。図中８８ａはフード８８の回転枢軸である。
【００７１】
また、フード８８を用いた場合の変形例として、図５に示すように、フード８８にイオン放出口８７を設けることもできる。
【００７２】
すなわち、図示するように、フード８８の内部に複数のノズル８７’を設け、同ノズル８７’をイオン放出口とするものである。
【００７３】
この場合、ノズル８７’から使用者Ｍの頭部や顔面に向けて直接マイナスイオンを放出することができ、大量のマイナスイオンを効率的に吸引して摂取することができる。
【００７４】
また、図５に示すように、イオン吸引用電極９としては、上述したようにアームレスト２１に設ける場合の他にも様々な形態が考えられる。
【００７５】
図中、９０で示したものは座部２に設けた例であり、９１で示したものは、足載部１に設けた例である。ところで、足載部１は図１に示したように足を包み込むような凹形状としたものばかりではなく、この図５に示すように平板状であってもよい。
【００７６】
また、図中９２で示すように、あたかも低周波治療器に多く見られるように、導電性を有する粘着パッドを利用して身体に貼着可能なタイプのイオン吸引用電極９２とすることも考えられる。この実施例における貼着可能なタイプのイオン吸引用電極９２は、図３の回路図において破線で示したように、昇圧回路により意図的に電位を上げている。（例としてはプラス４００ボルト程度）このような構成とすれば人体がよりプラス側に帯電し、マイナスイオンの吸引能力が格段に向上する。この回路構成をとったイオン吸引用電極９２は、貼着可能なことは必須でなく、上述のイオン吸引用電極９に代えて使用することも可能である。この場合、プラス４００ボルト程度の電位を有しているので、導電性をある程度有す樹脂等を介して人体と接触させるようにしている。
【００７７】
もちろんこのイオン吸引用電極９２は、人体に直接触れにくい場所であっても良く、人体に触れることがない場合でもイオン発生器８から放出されたマイナスイオンを吸引する作用があるので、人体の近傍で口からマイナスイオンを吸引出来やすいイオンの流れを創出する。
【００７８】
上記実施例においては、イオン吸引用電極が直接触れ易い位置に設けた実施例を記載したが、椅子の一部であればどこでも良く、イオン吸引用電極が人体に触れる場合は、更に肌に直接マイナスイオンが吸引される効果があり、更に言うと人体に触れたり触れなかったりする位置にイオン吸引用電極が有る場合、人体の帯電の除去が断続的に行なわれ、肌への吸引作用の効果も断続的なものとなり、メリハリのある人体へのマイナスイオンの供給が行なわれる。
【００７９】
この断続作用は、上記昇圧回路を用いた吸引用電極９２においては電気的に電位を変化させることで同等の効果を得られるものを実現出来る。
【００８０】
また、図中９３で示すように、先端を丸めた針状のイオン吸引用電極９３を背もたれ部３内に設けて使用者Ｍの背中に触れるようにしてもよい。
【００８１】
さらに本実施例の変形例として、イオン放出口８７を背もたれ部３に直接設けるのではなく、図６に示すように、専用のイオン放出部３３を設けることもできる。
【００８２】
ここでは、背もたれ部３の側部に基端部を枢支連結したアーム型のイオン放出部３３を、図中一点鎖線で示した収納位置αと実線で示した使用位置βとの間で回動自在に取付けている。３３ａはイオン放出部３３の前端部に設けた放出口であり、使用者Ｍの頭部及び顔面方向にマイナスイオンを放出可能としている。また、３３ｂはイオン放出部３３の枢支連結部である。
【００８３】
しかも、ここではイオン放出部３３が収納位置αにある場合はマイナスイオン発生器８がオフ状態となるようにし、使用位置βまで回動させると同マイナスイオン発生器８がオンするようにして自動的にマイナスイオンを放出できるように構成している。
【００８４】
このような構成とした場合は、イオン吸引用電極９５は背もたれ部の上部とすることがマイナスイオンの流れからして望ましい。
【００８５】
また、このようにイオン発生源が低位置に配設した場合は、イオン発生源は放電式である必要はなく、水を微細粉砕することでマイナスイオンを発生させる所謂レナード方式でも実現出来る。
【００８６】
すなわち、図７に示すように、イオン発生源８’は座面の下や足元でも良く、放出部がアームレスト２１に設けた吹出し口８９とすることも可能である。このような実施例とすれば、イオン吸引用電極９５を背もたれ部の上部に設ければ、より効果的なマイナスイオンの流れが実現出来るばかりでなく、マイナスイオン発生源が人体の顔より下方でかつ顔に向かって放出される構成がとれるので、自然な上昇流（矢印ｆ２参照）に沿って人体に触れ易い構成となる。
【００８７】
もちろん、この様な構成とすればイオン吸引用電極を省いた場合でも、マイナスイオンの自然上昇に沿った流れ中に使用者Ｍが存在することになり、マイナスイオン発生装置として優れたものとなる。
【００８８】
ところで、本実施例においてはマイナスイオン発生装置をマッサージ椅子Ａとして説明したが、マッサージ機能をもたない椅子に適用しても構わない。
【００８９】
（第２実施例）
本発明に係るマイナスイオン発生装置の第２実施例を、図８を参照しながら説明する。
【００９０】
これは、椅子型ではなくハンディタイプのマイナスイオン発生装置であり、単にマイナスイオンを放出するための装置ではなく、ハンディタイプのマッサージ器Ｂとして利用しながらマイナスイオンを摂取可能としたものである。
【００９１】
すなわち、第１実施例で説明した放電式のマイナスイオン発生源を収納配設するとともに、周面に複数のイオン放出口８９を長手方向に複数個形成した筒状ケースＢ１を略Ｊ字状に屈曲させ、屈曲させた先端部にマッサージ用の施療子Ｂ２を配設し、さらに、基端部にグリップ部Ｂ３を形成するとともに、同グリップ部Ｂ３にパネル状のイオン吸引用電極９４を設けた構成としたものである。Ｂ５は筒状ケースＢ１の中途部に設けた第２施療子部であり、同第２施療子部Ｂ５の先端に設けた第２施療子Ｂ６と前記施療子Ｂ２とで肩を前後からマッサージすることが可能な構成としている。なお、本実施例では、第２施療子部Ｂ５を回動自在にして、第２施療子Ｂ６を使用しない場合は筒状ケースＢ１に沿って収納可能としている。Ｂ７は第２施療子Ｂ６の枢支部である。
【００９２】
かかるマイナスイオン発生装置としてのマッサージ器Ｂは、ハンディタイプであって、いつでも簡便にマッサージに利用することができ、しかも、筒状ケースＢ１にはイオン放出口８９を長手方向に複数個形成しており、使用時にはマイナスイオンが使用者Ｍの頭部や顔面に向かって放出されるようにしているので、マッサージしながら自然にマイナスイオンを効率的に摂取することができる。したがって、この場合であってもマッサージ効果とマイナスイオン効果との相乗作用を得ることができる。
【００９３】
さらに、本実施例においてもグリップ部Ｂ３にイオン吸引用電極９４を設けていることから、マイナスイオンは使用者Ｍの肌に直接吸着されやすくなり、肌の保湿作用と相まってマッサージ効果の更なる向上が得られる。
【００９４】
以上、実施例を通して本発明を説明したが、いずれの実施例においても、マッサージなどを行いながら同時にマイナスイオンを人体に向けて効率よく放出することができるように構成しており、使用者Ｍは、目に見えないマイナスイオンを無意識のうちに十分摂取することが可能となる。しかも、マッサージなどの心地よさとあいまって、装置の継続使用が期待できるので、マイナスイオンによる健康促進効果が見込める。
【００９５】
【発明の効果】
本発明は、以上に説明したような形態で実施され、以下に記載されるような効果を奏する。
【００９６】
（１）請求項１記載の本発明では、マイナスイオンを発生させるマイナスイオン発生源を、座部、背もたれ部、及びアームレストを備える椅子に組込み、アームレストにイオン吸引用電極を設けたことにより、椅子にゆったりと腰掛けてリラックスした時間帯に十分な量のマイナスイオンを摂取できるようになるので、マイナスイオンがもつといわれる疲労回復、精神安定、体質改善、血液浄化、新陳代謝、抵抗力増進、自律神経調整、胃腸消化促進などの各種効果をより一層高めることができる。また、自然な状態で手をおくことができ、くつろいだ姿勢でマイナスイオンを人体に引き付けて摂取することが可能となる。
【０１０１】
（２）請求項２記載の本発明では、上記背もたれ部の上部に、使用者の頭部側に向けてマイナスイオンを放出するイオン放出口を設けたことにより、口などから吸引することがよいとされているマイナスイオンを十分に摂取することが可能となる。
【０１０２】
（３）請求項３記載の本発明では、施療子を備えるマッサージユニットを具備し、マッサージ機能を有することとしたことにより、マッサージにより身体のこりなどをほぐしながら気持ちよくリラックスしたなかで、マイナスイオンを効果的に摂取することになり、マイナスイオンによる爽快感とマッサージによる気持ちよさとがあいまって、疲労回復が促進されるとともに、かかるマッサージ機能を有するマイナスイオン発生装置を継続的に使用しやすくなり、マイナスイオンによる各種効果により健康増進が図れる。
（４）請求項４記載の本発明では、マイナスイオン発生源を放電によるものとしたので、簡単な構成でかつ静穏性に優れたマイナスイオン発生器を提供できる。
（５）請求項５記載の本発明では、マイナスイオン発生源を、水の微細粉砕によるものとしたので、良質なマイナスイオンが発生する発生器を提供出来る。
【図面の簡単な説明】
【図１】第１実施例に係るマイナスイオン発生装置としてのマッサージ椅子の斜視図である。
【図２】同マッサージ椅子の側面視による説明図である。
【図３】同マッサージ椅子のブロック図である。
【図４】マッサージ椅子の変形例を示す説明図である。
【図５】同マッサージ椅子の変形例を示す説明図である。
【図６】同マッサージ椅子の変形例を示す説明図である。
【図７】同マッサージ椅子の変形例を示す説明図である。
【図８】第２実施例に係るマイナスイオン発生装置としてのマッサージ器の説明図である。
【図９】従来のマイナスイオン発生器の説明図である。
【符号の説明】
Ａ  マッサージ椅子
１  足保持部
２  座部
３  背もたれ部
４  基台部
６  マッサージユニット
８  マイナスイオン発生器
９  イオン吸引用電極
２１  アームレスト
８７  イオン放出口
【図１】
0004109006.tif 000002
【図２】
0004109006.tif 000003
【図３】
0004109006.tif 000004
【図４】
0004109006.tif 000005
【図５】
0004109006.tif 000006
【図６】
0004109006.tif 000007
【図７】
0004109006.tif 000008
【図８】
0004109006.tif 000009
【図９】
0004109006.tif 000010